(57)【要約】【課題】補助手段なしに解離可能で、かつ緩みづらいクランプ装置を得る。【解決手段】互いに距離Ａ離れる２個の振動結節点Ｋ間に定常縦波９の形式の周波数ωを有する調和振動で振動する２個の構造部分２ａ，２ｂを、その互いに突き合わせた平坦面３ａ，３ｂで連結するためのクランプ装置１において、クランプスリーブの形式とした軸線方向に延びるばね負荷ブリッジ４の一方の端部に少なくとも１個のクランプ手段５ａを設け、この一方の端部におけるクランプ手段５ａを、他方の端部における少なくとも１個の他のクランプ手段５ｂに対して、ばね手段６を介して軸線方向に弾性変位可能に連結し、このときクランプ手段５ａ，５ｂを互いに距離Ａだけ離して配置し、各クランプ手段には、それぞれに対向する端部に対して軸線方向に指向する圧着可能な接触面７を設ける。好適には、ばね負荷ブリッジ４を、半径方向内側に構造部分２ａ，２ｂを収容するように形成したクランプスリーブとして構成する。【選択図】図１
2006289604.tif 000002
【特許請求の範囲】
【請求項１】
互いに距離（Ａ）離れる２個の振動結節点（Ｋ）間に定常縦波（９）の形式の周波数（ω）を有する調和振動で振動する２個の構造部分（２ａ，２ｂ）を、その互いに突き合わせた平坦面（３ａ，３ｂ）で連結するためのクランプ装置（１）において、
クランプスリーブの形式とした軸線方向に延びるばね負荷ブリッジ（４）の一方の端部に少なくとも１個のクランプ手段（５ａ）を設け、この一方の端部におけるクランプ手段（５ａ）を、他方の端部における少なくとも１個の他のクランプ手段（５ｂ）に対して、ばね手段（６）を介して軸線方向に弾性変位可能に連結し、このときクランプ手段（５ａ，５ｂ）を互いに距離（Ａ）だけ離して配置し、各クランプ手段には、それぞれに対向する端部に対して軸線方向に指向する圧着可能な接触面（７）を設けたことを特徴とするクランプ装置。
【請求項２】
ばね負荷ブリッジ（４）を、半径方向内側に構造部分（２ａ，２ｂ）を収容するように形成したクランプスリーブとして構成した請求項１記載のクランプ装置。
【請求項３】
ばね手段（６）を、ばね負荷ブリッジ（４）に一体の部分として構成した請求項１または２記載のクランプ装置。
【請求項４】
ばね手段（６）を、磁気結合を発生する手段により構成し、この磁気結合は、随意に、電磁的結合とした請求項１または２記載のクランプ装置。
【請求項５】
ばね手段（６）を、引きばねまたは押しばねとして構成した引張ばねもしくは圧縮ばねとして構成した機械ばねによって構成した請求項１または２記載のクランプ装置。
【請求項６】
ばねを、コイルばねによって構成した請求項５記載のクランプ装置。
【請求項７】
ばねを、皿ばねによって構成した請求項５記載のクランプ装置。
【請求項８】
クランプ手段（５ａ）を、少なくとも部分的に周方向に延在する裏側の接触面（７）を有する環状に閉じたクランプリングとして構成した請求項１〜７のうちいずれか一項に記載のクランプ装置。
【請求項９】
バヨネット状の開口（１６）を有する少なくとも１個のクランプリングを構成し、前記開口の半径方向内方にカラーとして突出する領域に、前記接触面（７）を形成した請求項８記載のクランプ装置。
【請求項１０】
ばね負荷ブリッジ（４）を、クランプ手段（５ａ，５ｂ）を軸線方向に移動させる開放手段（１０）に連結し、これによってばね手段（６）の予圧力に抗してクランプ手段（５ａ，５ｂ）が互いに軸線方向にさらに離間できるよう構成した請求項１〜９のうちいずれか一項に記載のクランプ装置。
【請求項１１】
開放手段（１０）を外側から手操作できるように構成した請求項１０記載のクランプ装置。
【請求項１２】
クランプ手段（５ｂ）を開放手段（１０）に対して一体に構成し、前記開放手段（１０）は、随意に、転回して固定可能な偏心レバーとして構成し、周方向の偏心面により接触面を構成した請求項１０または１１記載のクランプ装置。
【請求項１３】
ばね負荷ブリッジ（４）の端部を、クランプ手段（５ｂ）によって、駆動手段（１３）を駆動させる装置（１４）の駆動手段（１３）に強固に連結し、ならびに、少なくとも部分的に調和振動して駆動するツール（１２）のためのツールチャックとして構成した請求項１〜１２のうちいずれか一項に記載のクランプ装置。
【請求項１４】
ツールチャックの開放手段（１０）を環状に閉じた開口リングとして構成し、この開口リングは、ばね負荷ブリッジ（４）の他方の端部に接触できるよう軸線方向に移動可能とし、かつばね負荷ブリッジ（４）の部分を移動させることができるようにし、このとき、随意に、前記開放リングを、外側から操作できる開放機構（１５）により移動可能とした請求項１３記載のクランプ装置。
【発明の詳細な説明】
【技術分野】
【０００１】
本発明は、軸線方向に調和振動する構造部分、とくに、超音波式コアドリルのクラウンビットのツールチャックのためのクランプ装置に関するものである。
【背景技術】
【０００２】
２個の部材の既知の連結方法は、大まかに、ねじ連結、円錐連結またはクランプ連結に区分される。
【０００３】
軸線方向に調和振動する超音波式ツールのためのツールチャックに関して、ねじ連結のみならず円錐連結するものが記載されている。（例えば、特許文献１参照。）これら連結部は、縦方向に延びる定常波に関して、それぞれその振動の腹に配置する。というのも、これら振動の腹の位置において張力ノードが形成され、それゆえ最小の軸線方向引張応力および圧縮応力を生じる。しかし、超音波により軸線方向に調和振動する構造部材の場合、ねじもしくは円錐面において冷間溶着が起こることがあり、これは、特別なツールのような補助手段を使用することによってしか解離することはできない。
【特許文献１】英国特許第２０１６３５０号明細書
【０００４】
２個のツール部分を連結するのに平坦面突き合わせクランプを使用するものがある。（例えば、特許文献２参照。）この場合、第１ツール部分の半径方向内側にあるコア領域において、端面が開放したバヨネット状の円錐内面を有するくり抜き（アンダーカット）で構成した中空空間を設け、このくり抜きに対して、圧入円錐体を有する第２ツール部分の圧入プラグ部を掛合させ、この圧入円錐体は、軸線方向の押圧力によって、双方のツール部分の、軸線方向外方の平坦面を、摩擦力により相互連結する。超音波の衝撃があると、このような圧入プラグ部は解離してしまう。
【特許文献２】独国特許第４２３９３７３号明細書
【発明の開示】
【発明が解決しようとする課題】
【０００５】
本発明の目的は、軸線方向に調和振動する構造部分ためのよりよいクランプ装置を実現することにある。さらに、本発明の他の目的は、補助手段を使用することなく解離できるクランプ装置を得るにある。
【課題を解決するための手段】
【０００６】
本発明の目的は、基本的に、請求項１の特徴を有する発明によって達成することができる。従属項には、本発明の好適な実施例を示す。
【０００７】
本発明は、互いにある距離離れる２個の振動結節点間に定常縦波の形式のある周波数を有する調和振動で振動する２個の構造部分を、その互いに突き合わせた平坦面で連結するためのクランプ装置において、クランプスリーブの形式とした軸線方向に延びるばね負荷ブリッジの一方の端部に少なくとも１個のクランプ手段を設け、この一方の端部におけるクランプ手段を、他方の端部における少なくとも１個の他のクランプ手段に対して、ばね手段を介して軸線方向に弾性変位可能に連結し、このときクランプ手段を互いに前記距離だけ離して配置し、各クランプ手段には、それぞれに対向する端部に対して軸線方向に指向する圧着可能な接触面を設けたことを特徴とする。
【発明の効果】
【０００８】
本発明によれば、ばね負荷ブリッジのクランプ手段が構造部分における縦波定常波の振動結節点に配置されていることによって、振動結節点間で互いに突き合わせた構造部分の平坦面自体が、平面の通常の配置では振動の腹において振動振幅が最大となるにもかかわらず、ばね負荷ブリッジ自体が振動から守られ、これによって引張応力成分が振動エネルギーを伝達させる構造部分の連結を緩めようとする軸線方向応力振動が発生しない。にもかかわらず、実際上、平坦面に最小の軸線方向応力振動が発生するが、このような軸線方向応力振動は、ばね手段で生ずる予応力によって完全に圧縮領域にシフトされ、引張応力成分の発生を完全に回避できる。
【発明を実施するための最良の形態】
【０００９】
ばね負荷ブリッジを部材を軸線方向外側から取り囲むクランプスリーブとして構成すると好適であり、この構成によれば、応力が周方向に均等に分布する。
【００１０】
ばね手段を、伸縮自在の折り畳み、伸縮自在の膨大化、断面縮小化、スリット付けなどの通常の構成手法によって形成し、ばね負荷ブリッジに一体化した柔軟な一部分とすると好適であり、この構成によれば、ばね負荷ブリッジが構造的にまた製造技術的に見て、簡単に一体形成できる。同様に、柔軟な素材からなる断面が小さいばね負荷ブリッジは、ばね手段を一体に内包しているものと見なすことができる。
【００１１】
代案として、ばね手段を磁気結合を発生する手段により構成すると好適であり、さらに、この磁気結合は電磁的結合とすると好適であり、この構成によれば、ばね手段において軸線方向応力振動による機械的な疲労が発生しない。加えて、特に電磁的結合は電流を遮断することによって、容易に解消することができる。
【００１２】
代案として、ばね手段を機械ばねとすると好適であり、クランプ手段の間に直接配置し技術上単純に予応力を加える引張ばねとして、または、軸線方向に部分的に重なる部分の間において互いに逆向きの力を発生するよう配置した圧縮ばねとして構成すると一層好適であり、この構成によれば、ばねの構造上の長さ自体が、クランプ手段の全長に付加されることがなくなる。
【００１３】
ばね手段をコイルばねとすると好適であり、この構成によれば、他のばね手段と比較してより広範囲にわたる線形弾性の伸縮領域を実現し、クランプ装置が対向接触面の軸線方向の間隔に対する公差に制約を受けなくなる。
【００１４】
代案として、ばね手段を皿ばねとすると好適であり、この構成によれば、他のばね手段と比較してより短い軸線方向のばね長で、より広範囲の伸縮領域を実現し、クランプ装置の全長を短縮できる。
【００１５】
クランプ手段を、少なくとも部分的に周方向に延在する裏側の接触面を有する環状に閉じたクランプリングとして構成すると好適であり、この構成によれば、接触力が周方向に互いに均一に分布することになる。同様に、これに対応して、少なくとも部分的に周方向に延在する裏側の接触面を備えるようなばね手段の構成は、一体に内包したばね手段と見なすことができる。
【００１６】
好適な実施例においては、ヨネット状の開口を有する少なくとも１個のクランプリングを構成し、前記開口の半径方向内方にカラーとして突出する領域に、前記接触面を形成する。この構成によれば、適合するバヨネット状の対向接触面を有する構造部分を、軸線方向にクランプリングを通過してクランプ装置内部に案内し、締め付けのためにひねることで位置決めすることができる。
【００１７】
好適な実施例においては、ばね負荷ブリッジを、クランプ手段を軸線方向に移動させる開放手段に連結し、これによってばね手段の予圧力に抗してクランプ手段が互いに軸線方向にさらに離間できるよう構成する。この構成によれば、クランプ装置を開放することができる。
【００１８】
好適な実施例においては、開放手段を外側から手操作できるように構成する。この構成によれば、手操作によりクランプ装置を補助手段なしに開放することができる。
【００１９】
好適な実施例においては、クランプ手段を開放手段に対して一体に構成し、前記開放手段は、随意に、転回して固定可能な偏心レバーとして構成し、周方向の偏心面により接触面を構成する。この構成によれば、構成部品の数を減らすことができる。
【００２０】
好適な実施例においては、ばね負荷ブリッジの端部を、クランプ手段によって、駆動手段を駆動させる装置の駆動手段に強固に連結し、ならびに、少なくとも部分的に調和振動して駆動するツールのためのツールチャックとして構成する。この構成によれば、ツールを解離可能に締め付けることができる。
【００２１】
好適な実施例においては、ツールチャックの開放手段を環状に閉じた開口リングとして構成し、この開口リングは、ばね負荷ブリッジの他方の端部に接触できるよう軸線方向に移動可能とし、かつばね負荷ブリッジの部分を移動させることができるようにし、このとき、随意に、前記開放リングを、外側から操作できる開放機構により移動可能とする。この構成によれば、人間工学的に手操作できるツールチャックを実現できる。
【００２２】
以下、図面につき本発明の好適な実施例を詳細に説明する。
【実施例１】
【００２３】
図１に示すように、互いに距離Ａ離れる２個の振動結節点Ｋ間に定常縦波９の形式の周波数ωを有する調和振動で振動する２個の構造部分２ａ，２ｂを、その互いに突き合わせた平坦面３ａ，３ｂで連結するためのクランプ装置１には、クランプスリーブの形式とした軸線方向に延びるばね負荷ブリッジ４を設け、このクランプスリーブの一方の端部には、少なくとも１個のクランプ手段５ａを設け、この一方の端部のクランプ手段５ａを、他方の端部におけるクランプ手段５ｂに対して、ばね手段６を介して、図示の実施例では皿ばねとして構成したばね手段６に対して一体に形成したクランプ手段５ｂに対して軸線方向に弾性変位可能に連結する。このとき、クランプ手段５ａ，５ｂは、それぞれ対向する端部に対して軸線方向に指向する圧着可能な接触面７をにより構成し、両方の構造部分２ａ，２ｂにおいて適切に形成した対向接触面８をこの接触面７に当接させ、この対向接触面８は周波数ωの定常縦波９の振動結節点Ｋに位置する。このとき、平坦面３ａ，３ｂは振動の腹Ｂにおいて互いに突き合わさる。
【実施例２】
【００２４】
図２ａに示す第２実施例では、クランプ手段５ａ，５ｂの間におけるばね手段６を、部分的に伸縮自在な蛇腹を有するクランプスリーブとして構成する。
【実施例３】
【００２５】
図２ｂに示す第３実施例では、クランプ手段５ａ，５ｂの間におけるばね手段６を、環状永久磁石の磁気結合力によって構成し、この環状永久磁石は、軸線方向の一方の側が開放された磁力線の流れを発生し、この磁力線により２個の部分からなるクランプスリーブを軸線方向に連結する。
【実施例４】
【００２６】
図２ｃに示す改良型第４実施例では、クランプ手段５ａ，５ｂの間におけるばね手段６を、クランプスリーブの軸線方向にオーバーラップする部分を有する２個のクランプスリーブ間で各クランプスリーブに対して互いに逆向きの力を発生するよう配置した押圧コイルばねよりなる機械的ばねとして構成する。
【実施例５】
【００２７】
図２ｄに示す第５実施例では、クランプ手段５ａ，５ｂの間におけるばね手段６を、ねじれと膨らみを有する複数個のばねウェブ（細条）を射出成形により一体に形成したクランプスリーブとして構成する。
【実施例６】
【００２８】
図２ｅに示す第６実施例では、クランプ手段５ａ，５ｂの間におけるばね手段６を、軸線方向の限定範囲でクランプスリーブの断面積を小さくすることによって構成する。さらに、クランプ手段５ｂは、外側から手操作により転回して固定可能な偏心レバーの形式とした開放手段１０により構成し、開放手段の周方向の偏心面により接触面７を構成する。
【実施例７】
【００２９】
図３ａは、コアドリルの中空クラウンビットの形式である回転しかつ単振動調和振動で駆動するツール１２のためのツールチャックとして構成したクランプ装置１の場合を示しており、このクランプ装置１は、ばねクランプブリッジ４の端部に、周波数ωを有する定常縦波９の振動結節点Ｋが位置するクランプ手段５ｂによって、ドリル装置１４（図示の実施例では、回転に超音波を重畳させる手持ちコアドリル装置）の回転かつ振動する駆動手段１３としっかりと連結する。駆動手段１３の振動エネルギーをツール１２に伝達するために用いる平面３ａ，３ｂは、このとき、振動の腹Ｂにおいて互いに突き合わせる。この図では、ツールチャックは締めた状態である。
【実施例８】
【００３０】
図３ｂは、ツールチャックの緩めた状態を示し、開放手段１０は環状の閉じた開口リングであり、この開口リングは、トグルレバーの形式とした外側から手操作できる開放機構１５により、クランプスリーブの形式としたばねクランプブリッジ４の他方の端部とともに軸線方向に移動可能に接触させることができ、この部分を移動可能にする。この他方の端部に配置したクランプ手段５ａは、ばね負荷ブリッジ４に対して一体に形成した環状の閉じたクランプリングにより構成し、このクランプリングはの半径方向内方に突出するカラー領域で周方向に部分的に設けたバヨネット状の開口１６の裏面に接触面７を有するものとして構成する。接触面に適合するよう半径方向外方に突出するカラーを設けたバヨネット状の対向接触面８を有するコアドリルの中空クラウンビットの形式としたツール１２は、軸線方向にクランプリングを経て軸線方向にクランプ装置１内に挿入し、ひねることによって締め付け位置にする位置決めすることができ、もしくはこの逆の動作で外すことができる。
【実施例９】
【００３１】
図４には、コアドリルの中空クラウンビットの形式とした回転ならびに軸線方向の調和振動で駆動するツール１２のためのツールチャックとして形成したクランプ装置を有する手持ちコアドリル装置として構成したドリル装置１４を示し、このドリル装置１４は、手持ち操作可能な装置ハウジング１７に対して回転可能に配置した案内スリーブの形式としたクランプ手段５ｂを有し、この案内スリーブは、駆動手段１３に対して相対回転不能に連結する。クランプ手段５ｂは、さらに、ばね手段６によりばね負荷ブリッジ４の他方の端部における他のクランプ手段５ａに連結する。開口リングの形式とした軸線方向に移動可能な開口手段１０に対して作用し、装置ハウジング１７に回動可能に、設けたトグルレバーの形式とした、外側から手操作可能な開放機構１５によって、クランプ手段５ａは、ばね手段６の予圧力に抗して軸線方向に移動可能である。
【図面の簡単な説明】
【００３２】
【図１】クランプ装置の第１実施例の説明図である。
【図２ａ】クランプ装置の第２実施例の説明図である。
【図２ｂ】クランプ装置の第３実施例の説明図である。
【図２ｃ】クランプ装置の第４実施例の説明図である。
【図２ｄ】クランプ装置の第５実施例の説明図である。
【図２ｅ】クランプ装置の第６実施例の説明図である。
【図３ａ】クランプ装置の第７実施例であるツールチャックを締めた状態の説明図である。
【図３ｂ】クランプ装置の第８実施例であるツールチャックを緩めた状態の説明図である。
【図４】クランプ装置の第９実施例であるツールチャックを設けた手持ちコアドリル装置の説明図である。
【符号の説明】
【００３３】
１  クランプ装置
2a,2b 構造部分
3a,3b 平坦面
４  ばね負荷ブリッジ
5a,5b クランプ手段
６  ばね手段
７  接触面
８  対向接触面
９  縦波
１０  開放手段
１２  ツール
１３  駆動手段
１４  ドリル装置
１５  開放機構
１６  開口
１７  装置ハウジング
ω  周波数
Ａ  距離
Ｂ  振動の腹
Ｋ  振動結節点
【図１】
2006289604.tif 000003
【図２ａ】
2006289604.tif 000004
【図２ｂ】
2006289604.tif 000005
【図２ｃ】
2006289604.tif 000006
【図２ｄ】
2006289604.tif 000007
【図２ｅ】
2006289604.tif 000008
【図３ａ】
2006289604.tif 000009
【図３ｂ】
2006289604.tif 000010
【図４】
2006289604.tif 000011